(57)【特許請求の範囲】
【請求項１】
被験者の人格を検査する人格検査装置であって、
被験者にＭＭＰＩ( Minnesota Multiphasic Personality Inventory)の質問項目（10）を表示する表示手段（１）と、
上記質問項目（10）に対する被験者の回答を入力する入力手段（２）と、
被験者の回答から得られる検査データを記憶する記憶手段（31）と、
検査データを読み出し、検査データを尺度ごとに算出して、算出結果を集計した検査表（20）を作成するデータ処理手段（３）と、
上記質問項目（10）を音声にて被験者に伝える音声出力手段（５）と、を備え、
上記データ処理手段（３）は、データ入出力の制御と上記記憶手段（31）へのデータの読み書きと演算が可能であって、
上記表示手段（１）は、上記質問項目（10）を１問ずつ表示すると共に、選択項目として、表示されている上記質問項目（10）を再び音声出力させるための項目と、検査を中断するための項目と、を表示し、
上記音声出力手段（５）は、上記表示手段（１）に上記質問項目（10）が表示された後に該質問項目（10）を音声出力し、
上記入力手段（２）によって、上記再び音声出力させるための項目が選択されると、上記音声出力手段（５）は上記表示手段（１）に表示されている上記質問項目（10）を再び音声出力し、
上記入力手段（２）によって、上記検査を中断するための項目が選択されると、上記データ処理手段（３）は、上記質問項目（10）をどこまで回答したかを上記記憶手段（31）に記憶させて検査を中断し、
その後、上記表示手段（１）は前回の続きを開始するための項目を表示し、上記入力手段（２）によって、上記前回の続きを開始するための項目が選択されると、上記データ処理手段（３）は、上記記憶手段（31）から前回の未回答の上記質問項目（10）を読み出して上記表示手段（１）に再び表示させて検査を再スタートするように構成されていることを特徴とする人格検査装置。
【発明の詳細な説明】
【技術分野】
【０００１】
本発明は、人格を検査する人格検査装置に関する。
【背景技術】
【０００２】
従来、人格を検査するＭＭＰＩ( Minnesota Multiphasic Personality Inventory)は、被験者に質問項目による回答を回答用紙に記入させ、質問項目の回答によって人格を検査するものである。
この検査は、集計・採点の際に、被験者が回答した回答用紙を載せる木製の採点台と、採点台上の回答用紙の上面に重ね合わせる色付半透明状樹脂製シート（採点盤）と、を備えた採点器具が必要であった。この採点器具は、採点台の上に被験者が回答した回答用紙を載せ、さらに、回答用紙の上面にシート（採点盤）を重ね合わせて、採点盤に形成されている色なしの透明窓部から回答用紙の印等を数えることで回答から尺度ごとの採点（算出）を可能にするものである。また、採点結果は人手（採点者）によって所定の記録用紙に記入されていた。
【０００３】
また、特許文献１記載のように、人格を検査するクレペリン検査の際に、被験者にマークシート等の回答用紙に筆記具を用いて回答させ、集計者が読取装置等に回答を読み取らせるものが知られている。
【特許文献１】特許第３３８５２６８号公報
【発明の開示】
【発明が解決しようとする課題】
【０００４】
しかし、人格を検査するＭＭＰＩ( Minnesota Multiphasic Personality Inventory)において、回答（検査データ）の集計及び採点や、データ入力作業等の多く作業は、人の手で行われるため、集計や採点又はデータ入力の際にミスが発生する可能性や、多大な時間を費やすといった問題があった。特に、回答（印）の読取作業は、性別や尺度によって異なる採点盤（シート）で印を数える必要があるため、採点作業は頻雑であり、読み落とし等の数え間違いが発生する虞れがあった。
また、被験者が回答用紙に記入する際に記入漏れや誤記等が発生する虞れがあった。
【０００５】
そこで、本発明は、ＭＭＰＩ( Minnesota Multiphasic Personality Inventory)を、被験者が容易に回答できると共に、検査データの採点・集計を正確かつ迅速に行うことが可能な人格検査装置の提供を目的とする。
【課題を解決するための手段】
【０００６】
上記目的を達成させるために本発明に係る人格検査装置は、被験者の人格を検査する人格検査装置であって、被験者にＭＭＰＩ( Minnesota Multiphasic Personality Inventory)の質問項目を表示する表示手段と、上記質問項目に対する被験者の回答を入力する入力手段と、被験者の回答から得られる検査データを記憶する記憶手段と、検査データを読み出し、検査データを尺度ごとに算出して、算出結果を集計した検査表を作成するデータ処理手段と、上記質問項目を音声にて被験者に伝える音声出力手段と、を備え、上記データ処理手段は、データ入出力の制御と上記記憶手段へのデータの読み書きと演算が可能であって、上記表示手段は、上記質問項目を１問ずつ表示すると共に、選択項目として、表示されている上記質問項目を再び音声出力させるための項目と、検査を中断するための項目と、を表示し、上記音声出力手段は、上記表示手段に上記質問項目が表示された後に該質問項目を音声出力し、上記入力手段によって、上記再び音声出力させるための項目が選択されると、上記音声出力手段は上記表示手段に表示されている上記質問項目を再び音声出力し、上記入力手段によって、上記検査を中断するための項目が選択されると、上記データ処理手段は、上記質問項目をどこまで回答したかを上記記憶手段に記憶させて検査を中断し、その後、上記表示手段は前回の続きを開始するための項目を表示し、上記入力手段によって、上記前回の続きを開始するための項目が選択されると、上記データ処理手段は、上記記憶手段から前回の未回答の上記質問項目を読み出して上記表示手段に再び表示させて検査を再スタートするように構成されているものである。
【発明の効果】
【０００７】
本発明の人格検査装置によれば、従来の採点台及び採点盤等の採点器具を使用することなく採点できる。被験者が誤記入する虞れを軽減できる。また、採点者の読み飛ばし等による採点ミスや、記録表へ誤記入する虞れをなくすことができる。また、採点作業を正確かつ迅速に行うことができる。即ち、正確かつ確実なＭＭＰＩ( Minnesota Multiphasic Personality Inventory)を行うことができる。
【発明を実施するための最良の形態】
【０００８】
以下、実施の形態を示す図面に基づき本発明を詳説する。
図１は本発明の人格検査装置の第１の実施の形態を説明する簡略構成図である。
３は、５５０項目のＭＭＰＩ( Minnesota Multiphasic Personality Inventory)の質問項目10や３８３項目の簡易版ＭＭＰＩの質問項目や各種プログラム等を記憶したハードディスク（ＨＤ）等の記憶手段31を有するデータ処理手段である。データ処理手段３は、演算結果やプログラム等のデータを一時的に記憶するＲＡＭ（ランダムアクセスメモリ）やＲＯＭ（リードオンリーメモリ）等の一時記憶手段32と、データの入出力の制御や記憶手段31へのデータの読み書きや演算が可能なＣＰＵ（中央処理装置）等の演算制御手段33を有している。一時記憶手段32は、演算制御手段33を介して、記録手段31と相互に記録内容を伝達可能なものである。
【０００９】
また、データ処理手段３は、記憶手段31から読み出したＭＭＰＩの質問項目10を表示可能なモニタディスプレイ等の表示画面を有する表示手段１と、表示手段１に表示された質問項目10の回答や氏名等のデータを入力可能なキーボード及びマウス等で構成される入力手段２と、記憶手段31から読み出した検査データ（質問項目10に対する被験者の回答データ）や採点結果等の結果表20等を印刷物30として出力可能なプリンタ等の出力手段４と、ＭＭＰＩの質問項目10等を音声出力可能なスピーカ等の音声出力手段５と、が有線又は無線でデータや入出力信号等の送受信が可能に接続されているものである。
また、データ処理手段３は、ＣＤやＤＶＤ又はＵＳＢメモリ等の外部記憶媒体６にデータを書き込み可能なものである。
【００１０】
図２に示すフローチャート図、及び、図３〜図16に示す表示手段１の表示画面の一例を用いて具体的な検査・算出・集計手順を説明する。
予め、パスワードやログイン名又は被験者名や性別等の個人特定情報（ＩＤ）により被験者を認証したデータ処理手段３は、ＭＭＰＩテスト（ＭＰテスト）又は簡易版ＭＭＰＩテストのどちらを開始させるかを問う画面を表示手段１に表示させる（図示省略）。
入力手段２により「ＭＭＰＩテスト」が選択され入力されるとＭＭＰＩテストの開始画面を表示手段１に表示させる。
表示手段１は、図３に示すように表示画面に「診断テストを開始する」等の項目を表示する。データ処理手段３は、入力手段２により「診断テストを開始する」が（マウスによるクリックや、キーボードの所定のキーの操作により）選択され入力されることで、検査・集計を開始する。
【００１１】
図２のステップａ1 において、データ処理手段３の演算制御手段33は、記憶手段31に記憶されている最初の質問項目10である「機械関係の雑誌が好きだ」という質問項目10を、図４に示すように表示手段１に表示すると共に質問項目10に対する回答「はい」「いいえ」「どちらでもない」を表示する。
また、表示手段１の表示画面は、選択項目として、検査を中断することが選択できる「中断する」と、表示されている質問項目10を再び音声出力手段５から音声出力することを選択する「もう一度聞く（Ｓｈｉｆｔ）」と、を表示する。
【００１２】
次のステップａ2 において、データ処理手段３は、「機械関係の雑誌が好きだ」という質問項目10を音声出力手段５に音声出力させ、被験者に質問項目10を伝える。
【００１３】
ステップａ3 において、入力手段２により、「はい」「いいえ」「どちらでもない」のいずれかの回答がデータ処理手段３へ入力される。
ステップａ4 において、データ処理手段３の演算制御手段33は、記憶手段31に回答を検査データとして記憶手段31に記憶させる（即ちデータ処理手段３は検査データを記憶する）。この際、被験者のＩＤやログイン名又は被験者名や性別等の情報と検査データを関連づけて記憶する。
【００１４】
データ処理手段３は、質問項目10があれば、ステップａ1 に戻り、図５に示すように、次の質問項目10である「食欲はある」を表示手段１の表示画面に表示させる。
また、ステップａ2 において、音声出力手段５は、質問項目10を音声出力し、被験者に伝える。
【００１５】
ここで、「もう一度聞く（Ｓｈｉｆｔ）が入力手段２のマウスでクリック又は、キーボードのＳｈｉｆｔキーからデータ処理手段３へ入力されると、ステップａ2 へ戻り、データ処理手段３は音声出力手段５から再び質問項目10の「食欲はある」を音声出力させる。
【００１６】
入力手段２によって、「はい」「いいえ」「どちらでもない」のいずれかが入力されると、データ処理手段３の演算制御手段33は、記憶手段31に回答を検査データとして記憶させる（ステップａ4 ）。
【００１７】
質問項目10は全て終了していないので、データ処理手段３は、順次、図６〜図７に示すように、「ヘビを、それほど怖いと思わない」や「狩りをしてみたい」等のＭＭＰＩの質問項目10を１問ずつ表示手段１の表示画面に表示させ、順次、記憶手段31が回答を検査データとして記憶する。
【００１８】
ここで、質問項目10の表示から回答を検査データとして記憶して次の質問項目10を表示する迄の手順（ステップａ1 からステップａ4 ）を繰り返し実行中であって、例えば、図８に示す「画家だったら花の絵を描きたい」の質問の際に、疲れ等により回答が困難となった被験者によって「中断する」が入力手段２によりデータ処理手段３に入力（選択）されると、データ処理手段３の演算制御手段33は、検査の進捗等（質問項目10をどこまで回答したか等）を記憶手段31に記憶させる（ステップａ10）。次のステップａ11において、データ処理手段３は、図９に示すように表示手段１に中断画面である「閉じる」と表示させる。「閉じる」が入力手段２によって入力（選択）されることで、検査は中断する。
【００１９】
そして、図10に示すように、パスワードやログイン名又は被験者名や性別等の個人特定情報（ＩＤ）により被験者を認証したデータ処理手段３は、再スタートの表示画面を表示手段１に表示させる。「前回の続きを開始する」が入力手段２で入力（選択）されると、データ処理手段３の演算制御手段33は記憶手段31から前回の未回答の質問項目10である「画家だったら花の絵を描きたい」を読み出し、ステップａ1 に戻り、図11に示すように表示手段１に「画家だったら花の絵を描きたい」を再び表示させる。入力手段２によって回答が入力される（被験者が入力手段２によって、「はい」「いいえ」「どちらでもない」のいずれかを回答する）と、データ処理手段３の演算制御手段33は、回答を検査データとして記憶手段31に記憶させる（ステップａ4 ）。
【００２０】
質問項目10は全て回答されていないので、再び、ステップａ1 に戻り、ステップａ1 からステップａ4 を順次繰り返す。つまり、図12〜図14に示すように、「時どき元気いっぱいになる」や「夢をほとんどみない」や「高価な服を着てみたい」等のＭＭＰＩの質問項目10を表示手段１の表示画面に１つずつ順次表示させる。
【００２１】
その後、図15に示すように、５５０項目の最後の質問項目10である「家の中のちょっとした大工仕事をするのが好きだ」の回答が入力されると、
ステップａ5 において、データ処理手段３の演算制御手段33は、被験者の回答から得られる検査データを記憶手段31から全て読出す。次に、ステップａ6 において、検査データは集計され、検査データの妥当性尺度及び臨床尺度を算出する。そして、ステップａ7 において、データ処理手段３は、算出結果から結果表20を作成する。ステップ8 において、結果表20をデータファイルとして記憶手段31に記憶する。ステップａ9 において、図16に示すような「お疲れ様でした。診断テストはこれで終了です。」と「閉じる」を表示手段１に表示させる。
入力手段２によって「閉じる」が入力され、データ処理手段３は、検査・算出・集計を終了する。
【００２２】
ここで、ステップａ6 の検査データの妥当性尺度及び臨床尺度算出について説明する。
妥当性尺度は、受検態度の歪みを検出するものであって、
「どちらでもない」と回答された項目の数であり、解釈の妥当性を検知する？尺度と、
所定の15項目の所定の回答の数であり、自分を好ましく見せようとするわりあい素朴な受検態度の歪みを検出するＬ尺度と、
所定の64項目の所定の回答の数であり、詐病の他おおげさに訴えようとする時等に高得点となる受検態度の歪みと精神病理の程度を示す指標であるＦ尺度と、
所定の30項目の所定の回答の数であり、防衛的態度や自己批判態度等を表し、一部の臨床尺度の修正点としても使用されるＫ尺度と、の合計４つの尺度である。
また、所定の回答とは、尺度に加点（尺度として採点）されるべき「はい」又は「いいえ」のどちらか一方の回答のことである。
【００２３】
臨床尺度は、各尺度の特性の程度が以上に高い際に用いられる精神病理学的類型をもって名づけられているものであって、
所定の33項目の所定の回答の数であり、自分の健康状態について過度に気にして悩む傾向を示す心気症（Ｈｓ）尺度と、
所定の60項目の所定の回答の数であり、気分抑うつ、思考や行動面での抑止傾向を示す尺度抑うつ（Ｄ）尺度と、
所定の60項目の所定の回答の数であり、とくに身体面への転換症状を起こし易い傾向を示すヒステリー（Ｈｙ）尺度と、
所定の50項目の所定の回答の数であり、精神病質人格のうち、反社会行為を起こし易い傾向を示す精神病質的偏倚（Ｐｄ）尺度と、
所定の60項目の所定の回答の数であり、興味型の男女傾向を示す性度（Ｍｆ）尺度と、
所定の40項目の所定の回答の数であり、疑心など妄想をもち易い傾向を示すパラノイア（Ｐａ）尺度と、
所定の48項目の所定の回答の数であり、強迫神経症の傾向を示す精神衰弱（Ｐｔ）尺度と、
所定の78項目の所定の回答の数であり、奇妙な行動、幻覚妄想、異常な思考の傾向を示す精神分裂性（Ｓｃ）尺度と、
所定の46項目の所定の回答の数であり、思考や行動が過剰になりやすい傾向を示す軽躁性（Ｍａ）尺度と、
所定の70項目の所定の回答の数であり、社会的接触を好まない傾向を示す社会的内向性（Ｓｉ）尺度と、の合計10個の尺度である。
【００２４】
つまり、図２に示すステップａ6 において、データ処理手段３は、５５０の質問項目の内からＬ・Ｆ・Ｋ尺度の算出基準に対応する質問項目10の所定の回答を採点する（加点の対象となる回答の「はい」又は「いいえ」の数を数える）。また、？尺度は「どちらでもない」の数を数える。また、臨床尺度の算出基準に対応する所定の質問項目10の加点対象となる回答の数を数える。数えられたものは、各尺度の粗点として記憶手段31に記憶される。
【００２５】
さらに、データ処理手段３は、検査の確実性を向上（識別力を大きく）するため、Ｈｓ・Ｐｄ・Ｐｔ・Ｓｃ・Ｍａ尺度に、各々所定の率をかけたＫ尺度（附加値）を加えたＨｓ・Ｐｄ・Ｐｔ・Ｓｃ・Ｍａ尺度の修正粗点を算出する。
Ｈｓ尺度の修正粗点は、Ｈｓ尺度の粗点に０. ５倍のＫ尺度の粗点を足して算出される。つまり、Ｈｓ＋０. ５Ｋ（結果表20では、Ｈｓ＋. ５Ｋ）で表される。
Ｐｄ尺度の修正粗点は、Ｐｄ尺度の粗点に０. ４倍のＫ尺度の粗点を足して算出される。つまり、Ｐｄ＋０. ４Ｋ（結果表20では、Ｐｄ＋. ４Ｋ）で表される。
Ｐｔ尺度の修正粗点は、Ｐｔ尺度の粗点に１. ０倍のＫ尺度の粗点を足して算出される。つまり、Ｐｔ＋１. ０Ｋ（結果表20では、Ｐｔ＋１Ｋ）で表される。
Ｓｃ尺度の修正粗点は、Ｓｃ尺度の粗点に１. ０倍のＫ尺度の粗点を足して算出される。つまり、Ｓｃ＋１. ０Ｋ（結果表20では、Ｓｃ＋１Ｋ）で表される。
Ｍａ尺度の修正粗点は、Ｍａ尺度の粗点に０. ２倍のＫ尺度の粗点を足して算出される。つまり、Ｍａ＋０. ２Ｋ（結果表20では、Ｍａ＋. ２Ｋ）で表される。
【００２６】
さらに、この粗点又は修正点を、演算制御手段33によって、各々の尺度に対応した所定の変換率（変換式）で演算し、スコアを算出する。なお、第１の実施の形態では、被験者を男性としている。具体的には、抑うつ（Ｄ）尺度の粗点は、33点であるが、変換演算され、被検者が男性の際のスコアは、75点となる。また、精神分裂性（Ｓｃ）尺度は、修正粗点（Ｓｃ＋１Ｋ）が36点であり、この36点の修正粗点が変換演算され、被検者が男性の際のスコアは67点となる。つまり、修正粗点を算出した尺度の際は、粗点ではなく修正粗点を変換演算し、スコアを算出する。なお、男性と女性によって、粗点又は修正粗点をスコアに変換演算する変換率（変換式）は異なる。例えば、Ｋ尺度では、粗点の０〜30点を、男性は19〜80点に変換し、女性は17〜81点に変換する。
【００２７】
即ち、ステップａ6 において、妥当性・臨床尺度の算出とは、検査データを集計・採点して尺度ごとの粗点又は修正粗点を演算し、妥当性尺度及び臨床尺度のスコアを算出することである。さらに、言い換えると、検査データを集計・採点して尺度ごとの粗点又は修正粗点を演算し、妥当性尺度及び臨床尺度のスコアを算出することを、検査データを尺度ごとに算出すると言う。
【００２８】
ここで、質問項目10は、複数の尺度の算出（基準）に対応しているものもある。例えば、図12に示したような「時どき元気いっぱいになる」という質問項目10は、Ｆ尺度とＫ尺度を検知する質問項目10であり、「いいえ」と回答している際は、Ｆ尺度とＫ尺度にそれぞれ粗点として加点される。また、Ｍｆ尺度は性別（男女）によって、加点対象となる回答が異なる。なお、第１の実施の形態では、被験者を男性としている。
【００２９】
次に、ステップａ7 において、作成される結果表20は、図17に示すような、「はい」を○印とし、「いいえ」を×印とし、「どちらでもない」を空白とした質問項目10に対する回答（検査データ）と各尺度ごとの粗点とが記入され一覧表として示される第１結果表20ａと、図18に示すような、尺度を横軸とし、粗点又は修正粗点を変換演算したスコアを縦軸とした折れ線グラフで示される第２結果表20ｂと、である。
即ち、ステップａ7 において、データ処理手段３は、検査データを尺度ごとに算出した粗点及び修正粗点とスコアを集計し、第１・２結果表20ａ，20ｂ（結果表20）を作成する。第２結果表20ｂの折れ線グラフを作成する際に、尺度ごとの粗点及び修正粗点を演算変換した各尺度のスコアを縦軸にプロットする。また、妥当性尺度と臨床尺度との間は（つまり、Ｋ尺度とＨｓ尺度とは）折れ線グラフを結ばない。
【００３０】
ステップａ8 において、結果表20（第１・２結果表20ａ，20ｂ）は、データファイルとして記憶手段31に記憶される。言い換えると、データ処理手段３の記憶手段31は、結果表20をデータファイルとして記憶する。また、結果表20を、被験者のＩＤや被験者（受診者）名及び性別等（既婚・未婚、学歴、誕生日、職業、年齢）の情報と関連づけし、検索可能なデータベース化にして記憶する（結果表データベースを作成し記憶する）。
【００３１】
次に、図19に示すフローチャート図、及び、図20〜図22に示す表示手段１の表示画面の一例を用いて具体的な結果表20の出力手順及び結果表20に所見が登録され記憶される手順を説明する。
【００３２】
データ処理手段３は、検査者（医師や看護士）等の為の管理者用ＩＤやパスワード（被験者と異なるＩＤやパスワード）によって検査者を認証すると、（図19のステップｂ1 において）被験者（受診者）のＩＤや被験者名及び性別等の情報と関連づけされて記憶されている結果表20の一覧表（結果表データベース）を（図20に示すように）表示手段１に表示させる。
【００３３】
ステップｂ2 において、図20に示すように表示手段１の表示画面に表示されている一覧表から、表示させるべき被験者（受診者）の結果表20の列が選択され入力手段２でデータ処理手段３に入力される。
ステップｂ3 において、データ処理手段３の演算制御手段33は記憶手段31から、第１結果表20ａのデータファイルを読み出す。第１結果表20ａを表示手段１の表示画面に図21に示すように表示させる。また、データ処理手段３は、表示手段１に、「（ステップｂ1 に）戻る」と、「印刷」と「グラフ（第２結果表20ｂ）表示」と、を表示させる。
【００３４】
「印刷」が入力手段２から選択（入力）されると、データ処理手段３は、出力手段４から印刷物30として図17に示したような第１結果表20ａを出力させる（ステップｂ10）。
【００３５】
「グラフ（第２結果表20ｂ）表示」が入力手段２から入力（選択）されると、ステップｂ4 において、データ処理手段３は記憶手段31から第２結果表20ｂのデータファイルを読み出し第２結果表20ｂを表示手段１に図22に示すように表示させる。またデータ処理手段３は、表示手段１に、入力選択項目の「（ステップｂ3 に）戻る」と、「印刷／登録」と「登録」と、を表示させる。
【００３６】
ステップｂ5 において、プロフィールコードやプロフィール所見等が入力手段２によって結果表20に追加される。
ステップｂ6 において、第１・２結果表20ａ，20ｂ（結果表20）をプロフィール所見等と共に、記憶手段31に記憶する。
【００３７】
また、「印刷／登録」が入力手段２によって選択入力されると、データ処理手段３は、出力手段４から印刷物30として第２結果表20ｂを出力させる（ステップｂ11）。また、コメントが入力されていれば、コメントの入力内容を結果表20ｂと共に記憶手段31に記憶する。
【００３８】
また、「登録」が入力手段２によって選択入力されると、記憶手段31に記憶されている結果表データベースに所見が追加された結果表20（第１・２結果表20ａ，20ｂ）が記憶される（ステップｂ7 ）。
【００３９】
また、記憶されている検査データや結果表20（第１・２結果表20ａ，20ｂ）は、記憶手段31から読み出され、外部記憶媒体６に記憶可能なものである。
【００４０】
次に、図23に第２の実施の形態の簡略構成図を示す。
第２の実施の形態では、データ処理手段３は、社内ＬＡＮ又は院内ＬＡＮ等の回線網Ｌにハブ等の中継器９を介して有線又は無線接続している。さらに、データ処理手段３は、サーバーとして複数の末端の情報処理手段８に回線網Ｌを介して異なる複数のデータを送受信可能に有線又は無線で接続されたものである。
【００４１】
各々情報処理手段８は、第１の実施の形態のデータ処理手段３のように、被験者にＭＭＰＩの質問項目10（又は簡易版ＭＭＰＩの質問項目）を表示する末端の表示手段１と、質問項目10に対する被験者の回答を入力する末端の入力手段２と、結果表20を印刷物30として出力可能な末端の出力手段４と、質問項目10を音声にて伝える音声出力手段５と、に接続されている。
また、情報処理手段８は、データ処理手段３との送受信によるデータを記憶可能なハードディスク（ＨＤ）等の記録手段81を有している。また、データ処理手段３からの命令信号を末端の表示手段１、末端の音声出力手段５に伝達し実行させることが可能なＣＰＵ等の情報演算制御手段83を有している。また、情報演算制御手段83は、末端の入力手段２からの入力データをデータ処理手段３に送信可能なものである。また、入力データや送受信データや受信命令信号を一時的に記憶可能なＲＡＭ等の一時記録手段82を有している。一時記録手段82は、情報演算制御手段83を介して、記録手段81と相互に記録内容を伝達可能なものである。
【００４２】
データ処理手段３は、データ処理手段３によってＩＤとパスワードが認証された情報処理手段８へ、記憶手段31からＭＭＰＩ ( Minnesota Multiphasic Personality Inventory)の質問項目10データを読み出し、各々の末端の情報処理手段８に送信し、各々の末端の表示手段１に情報処理手段８を介して質問項目10を表示させるものである。また、各々の末端の音声出力手段５に質問項目10を音声出力させるものである。
【００４３】
また、データ処理手段３は、各々の末端の入力手段２により入力された回答をＩＤと関連づけて受信可能なものである。受信した末端の検査データを記憶手段31に記憶し、さらに、第１の実施の形態と同様に尺度を算出（粗点と修正粗点及びスコアを算出）し、結果表20を作成して記憶手段31に記憶させ、さらに、結果表20を所見等と共に記憶するものである。
【００４４】
また、データ処理手段３は、結果表20（第１・２結果表20ａ，20ｂ）のデータファイルを記憶手段31から読み出し、データ処理手段３によってＩＤとパスワードが認証された末端の情報処理手段８に、所見等が追加された結果表20（第１・２結果表20ａ，20ｂ）データファイルを送信し、末端の表示手段１に結果表20を表示させるものである。即ち、離れた場所の被験者を検査可能にするものであり、かつ、離れた場所の被験者に結果を迅速に伝えることが可能なものである。また、データ処理手段３は、各々の被験者の進捗状況に合わせて個別に質問項目10を送信可能なものである。また、各々の情報処理手段８に対して個別に検査の中断が可能なものである。
【００４５】
つまり、データ処理手段３の演算制御手段33は、中継器９や回線網Ｌを介して末端の情報処理手段８に記憶手段31から読み出したＭＭＰＩの質問項目10や選択項目等のデータを送信し、情報処理手段８を介して、質問項目10を末端の表示手段１に表示させる。また、末端の音声出力手段５から質問項目10を音声出力させる。
【００４６】
次に、末端の入力手段２によって入力された回答や選択項目10等のデータを、情報処理手段８を介して、データ処理手段３に送信する。データ処理手段３は、入力されたデータを基に、検査データとして記憶し、次の質問項目10を送信する。さらに、音声を出力させる指令を送信し、全ての質問項目10の回答（検査データ）を得ると、第１の実施の形態と同様に、結果表20（第１・２結果表20ａ，20ｂ）を作成し記憶する。
また、第１の実施の形態と同様に、中断画面の表示命令や音声出力手段５に質問項目10の再読み上げさせる命令等を送信する。
【００４７】
さらに、データ処理手段３は、ＩＤとパスワードによって末端の情報処理手段８を認証し、認証された末端の情報処理手段８へ所見等が追加された結果表20（第１・２結果表20ａ，20ｂ）を送信し、末端の表示手段１に結果表20を表示させる。また、出力手段４は、結果表20を印刷物30として出力する。即ち、データ処理手段３から離れた場所の被験者へ結果を伝える。
【００４８】
次に、図24に第３の実施の形態の簡略構成図を示す。
第３の実施の形態では、データ処理手段３は、インターネット等の通信回線網Ｔにモデム等の中継器９を介して有線又は無線接続している。さらに、データ処理手段３は、サーバーとして複数の末端の情報処理手段８に通信回線網Ｔと中継器９を介して異なる複数のデータを送受信可能に有線又は無線で接続されたものである。
【００４９】
つまり、第３の実施の形態は、第２の実施の形態で上述した回線網Ｌに変わってインターネット等の通信回線網Ｔを用いたものである。即ち、サーバーとなるデータ処理手段３に、予め許可を得た使用者が、病院外部にある第２の実施の形態と同様の、情報処理手段８と、表示手段１と、入力手段２と、出力手段４と、音声出力手段５とを、用いてＭＭＰＩテスト（ＭＰテスト）や簡易版ＭＭＰＩテストを受けることが可能なものである。さらに、データ処理手段３を設置していない病院（他の複数の病院）からであっても、被験者用のＩＤ及びパスワードを割り当てられることで、受験を可能にするものであり、管理者用のＩＤ及びパスワードを割り当てられることで、診断（所見等の入力や結果表20の出力）を可能にするものである。言い換えると、データ処理手段３を、サーバーとして、許可制（ライセンス制）にすることにより世界で使用可能にするものである。
【００５０】
なお、本発明は、設計変更可能であって、例えば、記憶手段31に所見コメントが格納された所見データテーブルを記憶させ、スコアが所定基準値域（スコアが30〜70点の間）を逸脱した際に、記憶手段31の所見データテーブルから所見コメントをデータ処理手段３の演算制御手段33が読み出して、第２結果表20ｂと共に表示又は出力するようにしても良い。
また、第１・２結果表20ａ，20ｂの出力手順及び所見入力手順は、図19に示したフロー図以外の順序であっても良い。例えば、第２結果表20ｂを先に表示させても良い。また、「戻る」や「印刷」や「登録」等の手順、及び、所見が入力されるステップｂ5 は順番が前後しても良い。
また、入力手段２は、表示手段１と一体状となったタッチパネル等でも良い。
また、質問項目10を増加又は減少するも自由である。また、独自の質問項目を追加するも自由である。
また、追加尺度の粗点やスコアを算出（演算）し、結果表20に表記させるのが望ましい。追加尺度とは、不安（Ａ）尺度、抑圧（Ｒ）尺度、顕在性不安（ＭＡＳ）尺度、自我強度（Ｅｓ）尺度、腰痛（Ｌｂ）尺度、頭頂葉・前頭葉損傷（Ｃａ）尺度、依存性（Ｄｙ）尺度、支配性（Ｄｏ）尺度、社会的責任（Ｒｅ）尺度、偏見（Ｐｒ）尺度、社会的地位（Ｓｔ）尺度、統制（Ｃｎ）尺度、大学不適応尺度（Ｍｔ）、マックアンドリューのアルコール症（ＭＡＣ）尺度、敵意の過剰統制（Ｏ−Ｈ）尺度、アレキシサィミア（Ａｓ）尺度、等である。
【００５１】
以上のように実施形態は、被験者の人格を検査する人格検査装置であって、被験者にＭＭＰＩ( Minnesota Multiphasic Personality Inventory)の質問項目10を表示する表示手段１と、質問項目10に対する被験者の回答を入力する入力手段２と、被験者の回答から得られる検査データを記憶する記憶手段31と、検査データを読み出し、検査データを尺度ごとに算出して、算出結果を集計した結果表20を作成するデータ処理手段３と、を備えているので、従来の採点台及び採点盤等の採点器具を使用せずに迅速に集計・採点できる。採点者が必要なく安価な費用で検査できる。被験者が誤記入する虞れを軽減できる。また、採点者が読み飛ばし等による採点（加点や算出）ミスや、記録表（グラフの作成等）へ誤記入する虞れをなくすことができる。また、採点作業を正確かつ迅速に行うことができる。即ち、正確かつ確実なＭＭＰＩ( Minnesota Multiphasic Personality Inventory)を行うことができる。
【００５２】
また、被験者の人格を検査する人格検査装置であって、被験者にＭＭＰＩ( Minnesota Multiphasic Personality Inventory)の質問項目10を表示する表示手段１と、質問項目10に対する被験者の回答を入力する入力手段２と、被験者の回答から得られる検査データを記憶する記憶手段31と、検査データを読み出し、検査データを尺度ごとに算出して、算出結果を集計した結果表20を作成するデータ処理手段３と、結果表20を印刷物30として出力可能な出力手段４と、を備えているので、従来の採点台及び採点盤等の採点器具を使用せずに迅速に集計・採点できる。採点者が必要なく安価な費用で検査できる。被験者が誤記入する虞れを軽減できる。また、採点者が読み飛ばし等による採点（加点や算出）ミスや、記録表（グラフの作成等）へ誤記入する虞れをなくすことができる。また、採点作業を正確かつ迅速に行うことができる。即ち、正確かつ確実なＭＭＰＩ( Minnesota Multiphasic Personality Inventory)を行うことができる。また、結果表20を印刷物30として保存できる。
【００５３】
また、質問項目10に対する被験者の回答から得られる検査データから、妥当性尺度と臨床尺度とを算出して、算出結果を集計した結果表20を作成するデータ処理手段３を備えたので、従来の採点台及び採点盤等の採点器具を使用せずに迅速に妥当性尺度と臨床尺度を集計・採点できる。採点者が必要なく安価な費用で検査できる。被験者が誤記入する虞れを軽減できる。また、採点者が読み飛ばし等による採点（加点や算出）ミスや、記録表（グラフの作成等）へ誤記入する虞れをなくすことができる。また、採点作業を正確かつ迅速に行うことができる。即ち、正確かつ確実なＭＭＰＩ( Minnesota Multiphasic Personality Inventory)を行うことができる。
【００５４】
また、質問項目10は、複数の尺度の算出に対応するものであるので、質問項目10を少なくできる。つまり、検査時間を短くでき、被験者に負担を与えず検査できる。
また、質問項目10を音声にて被験者に伝える音声出力手段５を付設したので、被験者の読み間違え（漢字等の誤読）を防止でき、正確な検査ができる。
【図面の簡単な説明】
【００５５】
【図１】第１の実施の形態を説明する簡略構成図である。
【図２】第１の実施の形態を説明するフローチャート図である。
【図３】表示手段の表示画面の一例を示す図である。
【図４】表示手段の表示画面の一例を示す図である。
【図５】表示手段の表示画面の一例を示す図である。
【図６】表示手段の表示画面の一例を示す図である。
【図７】表示手段の表示画面の一例を示す図である。
【図８】表示手段の表示画面の一例を示す図である。
【図９】表示手段の表示画面の一例を示す図である。
【図１０】表示手段の表示画面の一例を示す図である。
【図１１】表示手段の表示画面の一例を示す図である。
【図１２】表示手段の表示画面の一例を示す図である。
【図１３】表示手段の表示画面の一例を示す図である。
【図１４】表示手段の表示画面の一例を示す図である。
【図１５】表示手段の表示画面の一例を示す図である。
【図１６】表示手段の表示画面の一例を示す図である。
【図１７】第１結果表の一例を示す図である。
【図１８】第２結果表の一例を示す図である。
【図１９】第１の実施の形態を説明するフローチャート図である。
【図２０】表示手段の表示画面の一例を示す図である。
【図２１】表示手段の表示画面の一例を示す図である。
【図２２】表示手段の表示画面の一例を示す図である。
【図２３】第２の実施の形態を説明する簡略構成図である。
【図２４】第３の実施の形態を説明する簡略構成図である。
【符号の説明】
【００５６】
１  表示手段
２  入力手段
３  データ処理手段
４  出力手段
５  音声出力手段
10  質問項目
20  結果表
30  印刷物
31  記憶手段
【図１】
0005172305.tif 000002
【図２】
0005172305.tif 000003
【図３】
0005172305.tif 000004
【図４】
0005172305.tif 000005
【図５】
0005172305.tif 000006
【図６】
0005172305.tif 000007
【図７】
0005172305.tif 000008
【図８】
0005172305.tif 000009
【図９】
0005172305.tif 000010
【図１０】
0005172305.tif 000011
【図１１】
0005172305.tif 000012
【図１２】
0005172305.tif 000013
【図１３】
0005172305.tif 000014
【図１４】
0005172305.tif 000015
【図１５】
0005172305.tif 000016
【図１６】
0005172305.tif 000017
【図１７】
0005172305.tif 000018
【図１８】
0005172305.tif 000019
【図１９】
0005172305.tif 000020
【図２０】
0005172305.tif 000021
【図２１】
0005172305.tif 000022
【図２２】
0005172305.tif 000023
【図２３】
0005172305.tif 000024
【図２４】
0005172305.tif 000025